(57)【要約】      （修正有）【課題】家庭用小型キッチン生ゴミ処理機の提供。【解決手段】処理箱５５を含み、前記処理箱にはカバー板４６がヒンジにより装着され、前記処理箱の中には上方へ開口したヒンジ連結チャンバ１１が設置され、前記ヒンジ連結チャンバの中には前記カバー板を開けられる開け機構１０１が設置され、処理機を使用していない場合、密封機構１０３の中の遮り板４２が砕きチャンバ３１を密封し、処理機の中の臭い匂いをシンクから放つことを防止でき、また動力機構１０２の中の推し動かし板２１を回転させ、カバー板を連動させて回転させることができ、カバー板を開け、砕きチャンバの中に比較的に大きいキッチンの生ゴミを入れることができ、本発明はキッチンの生ゴミを砕く時、消臭機構１０５の中のファン羽根４０が回転し、砕きチャンバの中の臭い匂いを連結管３０の中に吸い込み、そして排出口２９により砕いたキッチンの生ゴミと一緒に排出する。【選択図】図１
2020195984.tif 000002
【特許請求の範囲】
【請求項１】
正面視で、処理箱を含み、前記処理箱にはカバー板がヒンジにより装着され、前記処理箱の中には上方へ開口したヒンジ連結チャンバが設置され、前記ヒンジ連結チャンバの中には前記カバー板を開けられる開け機構が設置され、前記ヒンジ連結チャンバの左側面には推し動かしチャンバが設置され、前記推し動かしチャンバの右側には回転盤チャンバが連通するように設置され、前記回転盤チャンバの中には前記開け機構に動力を提供する動力機構が設置され、前記動力機構は前記回転盤チャンバの中にスライドできるように装着された回転盤を含み、前記回転盤の左側面には推し動かし板が固定的に装着され、前記推し動かし板が前記推し動かしチャンバとスライドできるように装着され、前記推し動かし板を連動させて回転させることにより前記回転盤を回転させ、前記開け機構に動力を提供し、前記ヒンジ連結チャンバの右側には上方へ開口した砕きチャンバが設置され、前記砕きチャンバの左側には前記砕きチャンバを密封できる密封機構が設置され、前記密封機構が前記開け機構と連動し、前記開け機構が前記カバー板を開けた時、前記密封機構が前記砕きチャンバを開け、前記砕きチャンバの中にはまたキッチンの生ゴミを砕くことができる砕き機構が設置され、前記砕き機構の上方には前記砕きチャンバに消臭を行うことができる消臭機構が設置されていることを特徴とする家庭用小型キッチンの生ゴミの処理機。
【請求項２】
前記動力機構は捻りばねチャンバと、伝動チャンバと、動力ロッドと捻りばねとにより組み合わせられ、
前記捻りばねチャンバは前記回転盤チャンバの下方に設置され、前記回転盤チャンバの上方には前記伝動チャンバが設置され、前記捻りばねチャンバと前記伝動チャンバとの間には動力ロッドが回転できるように装着され、前記動力ロッドが前記回転盤と固定的に装着され、前記動力ロッドの底面には捻りばねが固定的に装着され、前記捻りばねの底面と前記捻りばねチャンバの底壁との間が固定的に装着され、前記捻りばねが前記動力ロッドと前記回転盤を連動させて復帰させることができることを特徴とする請求項１に記載の家庭用小型キッチンの生ゴミの処理機。
【請求項３】
前記動力ロッドの頂面には第一ギヤが固定的に装着され、前記ヒンジ連結チャンバと前記伝動チャンバとの間にはネジ山ロッドが回転できるように装着され、前記ネジ山ロッドの底面には第二ギヤが固定的に装着され、前記第二ギヤと前記第一ギヤとの間には第一チェーンが伝動できるように装着されていることを特徴とする請求項２に記載の家庭用小型キッチンの生ゴミの処理機。
【請求項４】
前記開け機構はネジ山ブロックと、ネジ山ロッドと、ヒンジ連結ロッドと、スライド溝とスライダとにより組み合わせられ、
前記ネジ山ブロックが前記ヒンジ連結チャンバの中にスライドできるように装着され、前記ネジ山ブロックの中には下方へ開口したネジ山孔が設置され、前記ネジ山孔が前記ネジ山ロッドとネジ山により装着され、前記ネジ山ブロックの頂面にはヒンジ連結ロッドがヒンジにより装着され、前記カバー板の底面にはスライド溝が設置され、前記スライド溝の中にはスライダがスライドできるように装着され、前記スライダが前記ヒンジ連結ロッドとヒンジにより装着されていることを特徴とする請求項１に記載の家庭用小型キッチンの生ゴミの処理機。
【請求項５】
前記密封機構は伝動チャンバと、移動ブロックと、遮り板と、リミット溝と、連通溝と、連結チャンバと、回転ロッドと、第一ベベルギヤと、第二ベベルギヤとにより組み合わせられ、
前記伝動チャンバが前記ヒンジ連結チャンバの右側に設置され、前記回転チャンバの中には移動ブロックがスライドできるように装着され、前記移動ブロックの頂面には遮り板が固定的に装着され、前記砕きチャンバの右側内壁にはリミット溝が連通するように設置され、前記リミット溝が前記遮り板とスライドできるように装着され、前記遮り板の中には連通溝が設置され、前記連通溝が前記砕きチャンバと連通することができ、前記回転チャンバの左側には噛み合いチャンバが設置され、前記回転チャンバの右側内壁の中には前記噛み合いチャンバの右側内壁を貫通している回転ロッドが回転できるように装着され、前記回転ロッドの左側面には第一ベベルギヤが固定的に装着され、前記ネジ山ロッドのうち前記噛み合いチャンバの中に位置しているところには第二ベベルギヤが固定的に装着され、前記第二ベベルギヤが前記第一ベベルギヤと噛み合っており、前記回転ロッドが前記移動ブロックとネジ山により装着されていることを特徴とする請求項１に記載の家庭用小型キッチンの生ゴミの処理機。
【請求項６】
前記砕き機構は空きチャンバと、補助チャンバと、モータと、伝動ロッドと、砕きロッドと、砕き輪と、第三ギヤとにより組み合わせられ、
前記空きチャンバが前記砕きチャンバの右側に設置され、前記空きチャンバの右側には補助チャンバが設置され、前記補助チャンバの右側内壁の中にはモータが固定的に装着され、前記モータの左向きの出力軸の左側面には伝動ロッドが固定的に装着され、前記伝動ロッドが左方へ前記砕きチャンバの左側内壁の中まで伸びており、前記砕きチャンバの左側内壁のうち前記伝動ロッドの後側に位置しているところには前記空きチャンバの左側内壁を貫通している砕きロッドが回転できるように装着され、前記砕きロッドと前記伝動ロッドとのうち前記砕きチャンバの中に位置しているところには砕き輪が固定的に装着され、前記砕きロッドと前記伝動ロッドとのうち前記空きチャンバの中に位置しているところには第三ギヤが固定的に装着され、前後両側の前記第三ギヤが互いに噛み合っていることを特徴とする請求項１に記載の家庭用小型キッチンの生ゴミの処理機。
【請求項７】
前記砕きチャンバの右側内壁には右方へ開口した排出口が連通するように設置され、砕いたキッチンの生ゴミが前記排出口により排出されることを特徴とする請求項６に記載の家庭用小型キッチンの生ゴミの処理機。
【請求項８】
前記消臭機構は空気吸い込みチャンバと、フィルタと、連結ロッドと、ファン羽根と、第四ギヤと、第五ギヤと、第二鎖と、連結管とにより組み合わせられ、
前記空気吸い込みチャンバが前記砕きチャンバの右側に設置され、前記空気吸い込みチャンバの中にはフィルタが固定的に装着され、前記ファン羽根と前記補助チャンバとの間には連結ロッドが回転できるように装着され、前記連結ロッドの左側面にはファン羽根が固定的に装着され、前記連結ロッドの右側面には第四ギヤが固定的に装着され、前記伝動ロッドのうち前記補助チャンバの中に位置しているところには第五ギヤが固定的に装着され、前記第五ギヤと前記第四ギヤとの間には第二チエーンが伝動できるように装着され、前記空気吸い込みチャンバの右側内壁には連結管が連通するように設置され、前記連結管が前記排出口に連通していることを特徴とする請求項１に記載の家庭用小型キッチンの生ゴミの処理機。
【発明の詳細な説明】
【技術分野】
【０００１】
本発明はキッチンの生ゴミの処理機分野を取り上げて、具体的には家庭用小型キッチンの生ゴミの処理機である。
【背景技術】
【０００２】
生ゴミとは住民の日常生活及び食品加工や飲食サービス、会社給食などの活動で生じたゴミであり、捨てられた野菜の葉っぱや残りの料理、残飯などを含み、生ゴミがゴミ箱に置かれると悪臭が発生し、しかもハエを招き、キッチンの環境に影響し、キッチンの生ゴミをタイムリーに処理する必要がある。
普通の家庭用小型キッチンの生ゴミの処理機がキッチンのシンクに連通しており、処理機を使用していない時、処理機がずっとシンクに連通しているため、処理機の中の臭い匂いをシンクから放つ可能性があり、キッチンの環境に影響し、またシンクによりキッチンの生ゴミを処理機に送り込み、少量のキッチンの生ゴミしか送り込むことができなく、比較的に大きいキッチンの生ゴミがシンクを塞ぐ可能性があり、シンクの詰まりを解消することは不便である。
【先行技術文献】
【特許文献】
【０００３】
【特許文献１】中国特許出願公開第１０６５８２９７６号明細書
【発明の概要】
【発明が解決しようとする課題】
【０００４】
本発明は家庭用小型キッチンの生ゴミの処理機を提供し、従来技術における上記欠点を解消することを目的とする。
【課題を解決するための手段】
【０００５】
本発明の実施例の家庭用小型キッチンの生ゴミの処理機は、処理箱を含み、前記処理箱にはカバー板がヒンジにより装着され、前記処理箱の中には上方へ開口したヒンジ連結チャンバが設置され、前記ヒンジ連結チャンバの中には前記カバー板を開けられる開け機構が設置され、前記ヒンジ連結チャンバの左側面には推し動かしチャンバが設置され、前記推し動かしチャンバの右側には回転盤チャンバが連通するように設置され、前記回転盤チャンバの中には前記開け機構に動力を提供する動力機構が設置され、前記動力機構は前記回転盤チャンバの中にスライドできるように装着された回転盤を含み、前記回転盤の左側面には推し動かし板が固定的に装着され、前記推し動かし板が前記推し動かしチャンバとスライドできるように装着され、前記推し動かし板を連動させて回転させることにより前記回転盤を回転させ、前記開け機構に動力を提供し、前記ヒンジ連結チャンバの右側には上方へ開口した砕きチャンバが設置され、前記砕きチャンバの左側には前記砕きチャンバを密封できる密封機構が設置され、前記密封機構が前記開け機構と連動し、前記開け機構が前記カバー板を開けた時、前記密封機構が前記砕きチャンバを開け、前記砕きチャンバの中にはまたキッチンの生ゴミを砕くことができる砕き機構が設置され、前記砕き機構の上方には前記砕きチャンバに消臭を行うことができる消臭機構が設置されている。
【０００６】
上記の技術プランに基づき、前記動力機構は捻りばねチャンバと、伝動チャンバと、動力ロッドと捻りばねとにより組み合わせられ、前記捻りばねチャンバは前記回転盤チャンバの下方に設置され、前記回転盤チャンバの上方には前記伝動チャンバが設置され、前記捻りばねチャンバと前記伝動チャンバとの間には動力ロッドが回転できるように装着され、前記動力ロッドが前記回転盤と固定的に装着され、前記動力ロッドの底面には捻りばねが固定的に装着され、前記捻りばねの底面と前記捻りばねチャンバの底壁との間が固定的に装着され、前記捻りばねが前記動力ロッドと前記回転盤を連動させて復帰させることができる。
【０００７】
上記の技術プランに基づき、前記動力ロッドの頂面には第一ギヤが固定的に装着され、前記ヒンジ連結チャンバと前記伝動チャンバとの間にはネジ山ロッドが回転できるように装着され、前記ネジ山ロッドの底面には第二ギヤが固定的に装着され、前記第二ギヤと前記第一ギヤとの間には第一チェーンが伝動できるように装着されている。
【０００８】
上記の技術プランに基づき、前記開け機構はネジ山ブロックと、ネジ山ロッドと、ヒンジ連結ロッドと、スライド溝とスライダとにより組み合わせられ、前記ネジ山ブロックが前記ヒンジ連結チャンバの中にスライドできるように装着され、前記ネジ山ブロックの中には下方へ開口したネジ山孔が設置され、前記ネジ山孔が前記ネジ山ロッドとネジ山により装着され、前記ネジ山ブロックの頂面にはヒンジ連結ロッドがヒンジにより装着され、前記カバー板の底面にはスライド溝が設置され、前記スライド溝の中にはスライダがスライドできるように装着され、前記スライダが前記ヒンジ連結ロッドとヒンジにより装着されている。
【０００９】
上記の技術プランに基づき、前記密封機構は伝動チャンバと、移動ブロックと、遮り板と、リミット溝と、連通溝と、連結チャンバと、回転ロッドと、第一ベベルギヤと、第二ベベルギヤとにより組み合わせられ、前記伝動チャンバが前記ヒンジ連結チャンバの右側に設置され、前記回転チャンバの中には移動ブロックがスライドできるように装着され、前記移動ブロックの頂面には遮り板が固定的に装着され、前記砕きチャンバの右側内壁にはリミット溝が連通するように設置され、前記リミット溝が前記遮り板とスライドできるように装着され、前記遮り板の中には連通溝が設置され、前記連通溝が前記砕きチャンバと連通することができ、前記回転チャンバの左側には噛み合いチャンバが設置され、前記回転チャンバの右側内壁の中には前記噛み合いチャンバの右側内壁を貫通している回転ロッドが回転できるように装着され、前記回転ロッドの左側面には第一ベベルギヤが固定的に装着され、前記ネジ山ロッドのうち前記噛み合いチャンバの中に位置しているところには第二ベベルギヤが固定的に装着され、前記第二ベベルギヤが前記第一ベベルギヤと噛み合っており、前記回転ロッドが前記移動ブロックとネジ山により装着されている。
【００１０】
上記の技術プランに基づき、前記砕き機構は空きチャンバと、補助チャンバと、モータと、伝動ロッドと、砕きロッドと、砕き輪と、第三ギヤとにより組み合わせられ、前記空きチャンバが前記砕きチャンバの右側に設置され、前記空きチャンバの右側には補助チャンバが設置され、前記補助チャンバの右側内壁の中にはモータが固定的に装着され、前記モータの左向きの出力軸の左側面には伝動ロッドが固定的に装着され、前記伝動ロッドが左方へ前記砕きチャンバの左側内壁の中まで伸びており、前記砕きチャンバの左側内壁のうち前記伝動ロッドの後側に位置しているところには前記空きチャンバの左側内壁を貫通している砕きロッドが回転できるように装着され、前記砕きロッドと前記伝動ロッドとのうち前記砕きチャンバの中に位置しているところには砕き輪が固定的に装着され、前記砕きロッドと前記伝動ロッドとのうち前記空きチャンバの中に位置しているところには第三ギヤが固定的に装着され、前後両側の前記第三ギヤが互いに噛み合っている。
【００１１】
上記の技術プランに基づき、前記砕きチャンバの右側内壁には右方へ開口した排出口が連通するように設置され、砕いたキッチンの生ゴミが前記排出口により排出される。
【００１２】
上記の技術プランに基づき、前記消臭機構は空気吸い込みチャンバと、フィルタと、連結ロッドと、ファン羽根と、第四ギヤと、第五ギヤと、第二鎖と、連結管とにより組み合わせられ、前記空気吸い込みチャンバが前記砕きチャンバの右側に設置され、前記空気吸い込みチャンバの中にはフィルタが固定的に装着され、前記ファン羽根と前記補助チャンバとの間には連結ロッドが回転できるように装着され、前記連結ロッドの左側面にはファン羽根が固定的に装着され、前記連結ロッドの右側面には第四ギヤが固定的に装着され、前記伝動ロッドのうち前記補助チャンバの中に位置しているところには第五ギヤが固定的に装着され、前記第五ギヤと前記第四ギヤとの間には第二チエーンが伝動できるように装着され、前記空気吸い込みチャンバの右側内壁には連結管が連通するように設置され、前記連結管が前記排出口に連通している。
【発明の効果】
【００１３】
本発明の有益効果は：砕きチャンバをキッチンのシンクに連通させる必要がなく、処理機を使用していない場合、密封機構の中の遮り板が砕きチャンバを密封し、処理機の中の臭い匂いをシンクから放つことを防止でき、キッチンの環境に影響することを避け、また動力機構の中の推し動かし板を回転させ、カバー板を連動させて回転させることができ、カバー板を開け、砕きチャンバの中に比較的に大きいキッチンの生ゴミを入れることができ、キッチンの生ゴミがシンクを塞ぐことは発生しなく、また、本発明はキッチンの生ゴミを砕く時、消臭機構の中のファン羽根が回転し、砕きチャンバの中の臭い匂いを連結管の中に吸い込み、そして排出口により砕いたキッチンの生ゴミと一緒に排出し、臭い匂いを処理機の中から放つことを避け、普及する価値がある。
【図面の簡単な説明】
【００１４】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の構成模式図
【図２】図２は図１のＡ―Ａ方向の断面構成模式図
【図３】図３は図１のＢ―Ｂ方向の断面構成模式図
【図４】図４は図１のＣところの拡大模式図
【発明を実施するための形態】
【００１６】
図１〜４を参照し、本発明の実施例の家庭用小型キッチンの生ゴミの処理機は、処理箱５５を含み、前記処理箱５５にはカバー板４６がヒンジにより装着され、前記処理箱５５の中には上方へ開口したヒンジ連結チャンバ１１が設置され、前記ヒンジ連結チャンバ１１の中には前記カバー板４６を開けられる開け機構１０１が設置され、前記ヒンジ連結チャンバ１１の左側面には推し動かしチャンバ５２が設置され、前記推し動かしチャンバ５２の右側には回転盤チャンバ２８が連通するように設置され、前記回転盤チャンバ２８の中には前記開け機構１０１に動力を提供する動力機構１０２が設置され、前記動力機構１０２は前記回転盤チャンバ２８の中にスライドできるように装着された回転盤２２を含み、前記回転盤２２の左側面には推し動かし板２１が固定的に装着され、前記推し動かし板２１が前記推し動かしチャンバ５２とスライドできるように装着され、前記推し動かし板２１を連動させて回転させることにより前記回転盤２２を回転させ、前記開け機構１０１に動力を提供し、前記ヒンジ連結チャンバ１１の右側には上方へ開口した砕きチャンバ３１が設置され、前記砕きチャンバ３１の左側には前記砕きチャンバ３１を密封できる密封機構１０３が設置され、前記密封機構１０３が前記開け機構１０１と連動し、前記開け機構１０１が前記カバー板４６を開けた時、前記密封機構１０３が前記砕きチャンバ３１を開け、前記砕きチャンバ３１の中にはまたキッチンの生ゴミを砕くことができる砕き機構１０４が設置され、前記砕き機構１０４の上方には前記砕きチャンバ３１に消臭を行うことができる消臭機構１０５が設置されている。    
【００１７】
また、一つの実施例の中で、前記動力機構１０２はまた前記回転盤チャンバ２８の下方に設置された捻りばね２４を含み、前記回転盤チャンバ２８の上方には伝動チャンバ２０が設置され、前記捻りばねチャンバ２４と前記伝動チャンバ２０との間には動力ロッド２６が回転できるように装着され、前記動力ロッド２６が前記回転盤２２と固定的に装着され、前記動力ロッド２６の底面には捻りばね２５が固定的に装着され、前記捻りばね２５の底面と前記捻りばねチャンバ２４の底壁との間が固定的に装着され、前記捻りばね２５が前記動力ロッド２６と前記回転盤２２を連動させて復帰させることができる。
【００１８】
また、一つの実施例の中で、前記動力ロッド２６の頂面には第一ギヤ２７が固定的に装着され、前記ヒンジ連結チャンバ１１と前記伝動チャンバ２０との間にはネジ山ロッド１８が回転できるように装着され、前記ネジ山ロッド１８の底面には第二ギヤ１９が固定的に装着され、前記第二ギヤ１９と前記第一ギヤ２７との間には第一チェーン２３が伝動できるように装着され、これにより前記動力ロッド２６が回転する時、動力ロッド２６が回転して第一ギヤ２７を連動させて回転させ、第一ギヤ２７が第一チェーン２３の伝動により第二ギヤ１９とネジ山ロッド１８とを連動させて回転させ、ネジ山ロッド１８が回転して開け機構１０１に動力を提供する。
【００１９】
また、一つの実施例の中で、前記開け機構１０１は前記ヒンジ連結チャンバ１１の中にスライドできるように装着されたネジ山ブロック１４を含み、前記ネジ山ブロック１４の中には下方へ開口したネジ山孔１３が設置され、前記ネジ山孔１３が前記ネジ山ロッド１８とネジ山により装着され、前記ネジ山ブロック１４の頂面にはヒンジ連結ロッド１２がヒンジにより装着され、前記カバー板４６の底面にはスライド溝４４が設置され、前記スライド溝４４の中にはスライダ４５がスライドできるように装着され、前記スライダ４５が前記ヒンジ連結ロッド１２とヒンジにより装着され、これによりネジ山ロッド１８が回転する時、ネジ山ブロック１４が上方へ移動し、ネジ山ブロック１４がヒンジ連結ロッド１２によりカバー板４６を連動させて回転させ、カバー板４６を開ける。
【００２０】
また、一つの実施例の中で、前記密封機構１０３は前記ヒンジ連結チャンバ１１の右側に設置された回転チャンバ３２を含み、前記回転チャンバ３２の中には移動ブロック３４がスライドできるように装着され、前記移動ブロック３４の頂面には遮り板４２が固定的に装着され、前記砕きチャンバ３１の右側内壁にはリミット溝５６が連通するように設置され、前記リミット溝５６が前記遮り板４２とスライドできるように装着され、前記遮り板４２の中には連通溝４３が設置され、前記連通溝４３が前記砕きチャンバ３１と連通することができ、前記回転チャンバ３２の左側には噛み合いチャンバ１６が設置され、前記回転チャンバ３２の右側内壁の中には前記噛み合いチャンバ１６の右側内壁を貫通している回転ロッド３３が回転できるように装着され、前記回転ロッド３３の左側面には第一ベベルギヤ１５が固定的に装着され、前記ネジ山ロッド１８のうち前記噛み合いチャンバ１６の中に位置しているところには第二ベベルギヤ１７が固定的に装着され、前記第二ベベルギヤ１７が前記第一ベベルギヤ１５と噛み合っており、前記回転ロッド３３が前記移動ブロック３４とネジ山により装着され、これによりネジ山ロッド１８が回転して第二ベベルギヤ１７を連動させて回転させる時、第二ベベルギヤ１７が第一ベベルギヤ１５により回転ロッド３３を連動させて回転させ、回転ロッド３３が回転して移動ブロック３４を連動させて右方へ移動させ、これにより遮り板４２が右方へ移動し、そして連通溝４３が砕きチャンバ３１に連通し、キッチンの生ゴミが砕き機構１０４の中に入ることができる。
【００２１】
また、一つの実施例の中で、前記砕き機構１０４は前記砕きチャンバ３１の右側に設置された空きチャンバ５０を含み、前記空きチャンバ５０の右側には補助チャンバ３６が設置され、前記補助チャンバ３６の右側内壁の中にはモータ５３が固定的に装着され、前記モータ５３の左向きの出力軸の左側面には伝動ロッド５１が固定的に装着され、前記伝動ロッド５１が左方へ前記砕きチャンバ３１の左側内壁の中まで伸びており、前記砕きチャンバ３１の左側内壁のうち前記伝動ロッド５１の後側に位置しているところには前記空きチャンバ５０の左側内壁を貫通している砕きロッド４８が回転できるように装着され、前記砕きロッド４８と前記伝動ロッド５１とのうち前記砕きチャンバ３１の中に位置しているところには砕き輪４７が固定的に装着され、前記砕きロッド４８と前記伝動ロッド５１とのうち前記空きチャンバ５０の中に位置しているところには第三ギヤ４９が固定的に装着され、前後両側の前記第三ギヤ４９が互いに噛み合っており、これによりキッチンの生ゴミが砕き機構１０４に入った後、モータ５３が作動して伝動ロッド５１を連動させて回転させ、伝動ロッド５１が前後両側の第三ギヤ４９により砕き輪４７を連動させて回転させ、キッチンの生ゴミを砕く。
【００２２】
また、一つの実施例の中で、前記砕きチャンバ３１の右側内壁には右方へ開口した排出口２９が連通するように設置され、砕いたキッチンの生ゴミが前記排出口２９により排出される。
【００２３】
また、一つの実施例の中で、前記消臭機構１０５は前記砕きチャンバ３１の右側に設置された空気吸い込みチャンバ３９を含み、前記空気吸い込みチャンバ３９の中にはフィルタ４１が固定的に装着され、前記ファン羽根４０と前記補助チャンバ３６との間には連結ロッド３８が回転できるように装着され、前記連結ロッド３８の左側面にはファン羽根４０が固定的に装着され、前記連結ロッド３８の右側面には第四ギヤ３７が固定的に装着され、前記伝動ロッド５１のうち前記補助チャンバ３６の中に位置しているところには第五ギヤ５４が固定的に装着され、前記第五ギヤ５４と前記第四ギヤ３７との間には第二チエーン３５が伝動できるように装着され、前記空気吸い込みチャンバ３９の右側内壁には連結管３０が連通するように設置され、前記連結管３０が前記排出口２９に連通しており、これにより伝動ロッド５１が回転する時、伝動ロッド５１が第五ギヤ５４と第二チェーン３５とにより第四ギヤ３７と連結ロッド３８とを連動させて回転させ、連結ロッド３８が回転してファン羽根４０を連動させて回転させ、ファン羽根４０が回転して砕きチャンバ３１の中の臭い匂いを連結管３０の中に吸い込み、排出口２９から臭い匂いを排出する。
【００２４】
使用する時、動力ロッド２６が回転する時、動力ロッド２６が回転して第一ギヤ２７を連動させて回転させ、第一ギヤ２７が第一チェーン２３の伝動により第二ギヤ１９とネジ山ロッド１８とを連動させて回転させ、ネジ山ロッド１８が回転してネジ山ブロック１４を連動させて上方へ移動させ、ネジ山ブロック１４がヒンジ連結ロッド１２によりカバー板４６を連動させて回転させ、カバー板４６を開け、ネジ山ロッド１８が回転して第二ベベルギヤ１７を連動させて回転させる時、第二ベベルギヤ１７が第一ベベルギヤ１５により回転ロッド３３を連動させて回転させ、回転ロッド３３が回転して移動ブロック３４を連動させて右方へ移動させ、これにより遮り板４２が右方へ移動し、そして連通溝４３が砕きチャンバ３１に連通し、キッチンの生ゴミが砕き機構１０４の中に入ることができ、キッチンの生ゴミが砕き機構１０４の中に入った後、モータ５３が起動して伝動ロッド５１を連動させて回転させ、伝動ロッド５１が前後両側の第三ギヤ４９により砕き輪４７を連動させて回転させ、キッチンの生ゴミを砕き、砕いたキッチンの生ゴミが排出口２９により排出され、伝動ロッド５１が回転する時、伝動ロッド５１が第五ギヤ５４と第二チェーン３５とにより第四ギヤ３７と連結ロッド３８とを連動させて回転させ、連結ロッド３８が回転してファン羽根４０を連動させて回転させ、ファン羽根４０が回転して砕きチャンバ３１の中の臭い匂いを連結管３０の中に吸い込み、排出口２９から臭い匂いを排出する。
【００２５】
本発明の有益効果は：砕きチャンバをキッチンのシンクに連通させる必要がなく、処理機を使用していない場合、密封機構の中の遮り板が砕きチャンバを密封し、処理機の中の臭い匂いをシンクから放つことを防止でき、キッチンの環境に影響することを避け、また動力機構の中の推し動かし板を回転させ、カバー板を連動させて回転させることができ、カバー板を開け、砕きチャンバの中に比較的に大きいキッチンの生ゴミを入れることができ、キッチンの生ゴミがシンクを塞ぐことは発生しなく、また、本発明はキッチンの生ゴミを砕く時、消臭機構の中のファン羽根が回転し、砕きチャンバの中の臭い匂いを連結管の中に吸い込み、そして排出口により砕いたキッチンの生ゴミと一緒に排出し、臭い匂いを処理機の中から放つことを避け、普及する価値がある。
【００２６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020195984.tif 000003
【図２】
2020195984.tif 000004
【図３】
2020195984.tif 000005
【図４】
2020195984.tif 000006
【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
正面視で、処理箱を含み、前記処理箱にはカバー板がヒンジにより装着され、前記処理箱の中には上方へ開口したヒンジ連結チャンバが設置され、前記ヒンジ連結チャンバの中には前記カバー板を開けられる開け機構が設置され、前記ヒンジ連結チャンバの左側面には推し動かしチャンバが設置され、前記推し動かしチャンバの右側には回転盤チャンバが連通するように設置され、前記回転盤チャンバの中には前記開け機構に動力を提供する動力機構が設置され、前記動力機構は前記回転盤チャンバの中にスライドできるように装着された回転盤を含み、前記回転盤の左側面には推し動かし板が固定的に装着され、前記推し動かし板が前記推し動かしチャンバとスライドできるように装着され、前記推し動かし板を連動させて回転させることにより前記回転盤を回転させ、前記開け機構に動力を提供し、前記ヒンジ連結チャンバの右側には上方へ開口した砕きチャンバが設置され、前記砕きチャンバの左側には前記砕きチャンバを密封できる密封機構が設置され、前記密封機構が前記開け機構と連動し、前記開け機構が前記カバー板を開けた時、前記密封機構が前記砕きチャンバを開け、前記砕きチャンバの中にはまたキッチンの生ゴミを砕くことができる砕き機構が設置され、前記砕き機構の上方には前記砕きチャンバに消臭を行うことができる消臭機構が設置され、
前記動力機構は捻りばねチャンバと、伝動チャンバと、動力ロッドと捻りばねとにより組み合わせられ、
前記捻りばねチャンバは前記回転盤チャンバの下方に設置され、前記回転盤チャンバの上方には前記伝動チャンバが設置され、前記捻りばねチャンバと前記伝動チャンバとの間には動力ロッドが回転できるように装着され、前記動力ロッドが前記回転盤と固定的に装着され、前記動力ロッドの底面には捻りばねが固定的に装着され、前記捻りばねの底面と前記捻りばねチャンバの底壁との間が固定的に装着され、前記捻りばねが前記動力ロッドと前記回転盤を連動させて復帰させることができ、
前記動力ロッドの頂面には第一ギヤが固定的に装着され、前記ヒンジ連結チャンバと前記伝動チャンバとの間にはネジ山ロッドが回転できるように装着され、前記ネジ山ロッドの底面には第二ギヤが固定的に装着され、前記第二ギヤと前記第一ギヤとの間には第一チェーンが伝動できるように装着され、
前記開け機構はネジ山ブロックと、ネジ山ロッドと、ヒンジ連結ロッドと、スライド溝とスライダとにより組み合わせられ、
前記ネジ山ブロックが前記ヒンジ連結チャンバの中にスライドできるように装着され、前記ネジ山ブロックの中には下方へ開口したネジ山孔が設置され、前記ネジ山孔が前記ネジ山ロッドとネジ山により装着され、前記ネジ山ブロックの頂面にはヒンジ連結ロッドがヒンジにより装着され、前記カバー板の底面にはスライド溝が設置され、前記スライド溝の中にはスライダがスライドできるように装着され、前記スライダが前記ヒンジ連結ロッドとヒンジにより装着され、
前記密封機構は回転チャンバと、移動ブロックと、遮り板と、リミット溝と、連通溝と、連結チャンバと、回転ロッドと、第一ベベルギヤと、第二ベベルギヤとにより組み合わせられ、
前記回転チャンバが前記ヒンジ連結チャンバの右側に設置され、前記回転チャンバの中には移動ブロックがスライドできるように装着され、前記移動ブロックの頂面には遮り板が固定的に装着され、前記砕きチャンバの右側内壁にはリミット溝が連通するように設置され、前記リミット溝が前記遮り板とスライドできるように装着され、前記遮り板の中には連通溝が設置され、前記連通溝が前記砕きチャンバと連通することができ、前記回転チャンバの左側には噛み合いチャンバが設置され、前記回転チャンバの右側内壁の中には前記噛み合いチャンバの右側内壁を貫通している回転ロッドが回転できるように装着され、前記回転ロッドの左側面には第一ベベルギヤが固定的に装着され、前記ネジ山ロッドのうち前記噛み合いチャンバの中に位置しているところには第二ベベルギヤが固定的に装着され、前記第二ベベルギヤが前記第一ベベルギヤと噛み合っており、前記回転ロッドが前記移動ブロックとネジ山により装着されていることを特徴とする家庭用小型キッチンの生ゴミの処理機。
【請求項２】
前記砕き機構は空きチャンバと、補助チャンバと、モータと、伝動ロッドと、砕きロッドと、砕き輪と、第三ギヤとにより組み合わせられ、
前記空きチャンバが前記砕きチャンバの右側に設置され、前記空きチャンバの右側には補助チャンバが設置され、前記補助チャンバの右側内壁の中にはモータが固定的に装着され、前記モータの左向きの出力軸の左側面には伝動ロッドが固定的に装着され、前記伝動ロッドが左方へ前記砕きチャンバの左側内壁の中まで伸びており、前記砕きチャンバの左側内壁のうち前記伝動ロッドの後側に位置しているところには前記空きチャンバの左側内壁を貫通している砕きロッドが回転できるように装着され、前記砕きロッドと前記伝動ロッドとのうち前記砕きチャンバの中に位置しているところには砕き輪が固定的に装着され、前記砕きロッドと前記伝動ロッドとのうち前記空きチャンバの中に位置しているところには第三ギヤが固定的に装着され、前後両側の前記第三ギヤが互いに噛み合っていることを特徴とする請求項１に記載の家庭用小型キッチンの生ゴミの処理機。
【請求項３】
前記砕きチャンバの右側内壁には右方へ開口した排出口が連通するように設置され、砕いたキッチンの生ゴミが前記排出口により排出されることを特徴とする請求項２に記載の家庭用小型キッチンの生ゴミの処理機。
【請求項４】
前記消臭機構は空気吸い込みチャンバと、フィルタと、連結ロッドと、ファン羽根と、第四ギヤと、第五ギヤと、第二チェーンと、連結管とにより組み合わせられ、
前記空気吸い込みチャンバが前記砕きチャンバの右側に設置され、前記空気吸い込みチャンバの中にはフィルタが固定的に装着され、前記ファン羽根と前記補助チャンバとの間には連結ロッドが回転できるように装着され、前記連結ロッドの左側面にはファン羽根が固定的に装着され、前記連結ロッドの右側面には第四ギヤが固定的に装着され、前記伝動ロッドのうち前記補助チャンバの中に位置しているところには第五ギヤが固定的に装着され、前記第五ギヤと前記第四ギヤとの間には第二チェーンが伝動できるように装着され、前記空気吸い込みチャンバの右側内壁には連結管が連通するように設置され、前記連結管が前記排出口に連通していることを特徴とする請求項３に記載の家庭用小型キッチンの生ゴミの処理機。
【手続補正２】
【補正対象書類名】明細書
【補正対象項目名】全文
【補正方法】変更
【補正の内容】
【発明の詳細な説明】
【技術分野】
【０００１】
本発明はキッチンの生ゴミの処理機分野を取り上げて、具体的には家庭用小型キッチンの生ゴミの処理機である。
【背景技術】
【０００２】
生ゴミとは住民の日常生活及び食品加工や飲食サービス、会社給食などの活動で生じたゴミであり、捨てられた野菜の葉っぱや残りの料理、残飯などを含み、生ゴミがゴミ箱に置かれると悪臭が発生し、しかもハエを招き、キッチンの環境に影響し、キッチンの生ゴミをタイムリーに処理する必要がある。
普通の家庭用小型キッチンの生ゴミの処理機がキッチンのシンクに連通しており、処理機を使用していない時、処理機がずっとシンクに連通しているため、処理機の中の臭い匂いをシンクから放つ可能性があり、キッチンの環境に影響し、またシンクによりキッチンの生ゴミを処理機に送り込み、少量のキッチンの生ゴミしか送り込むことができなく、比較的に大きいキッチンの生ゴミがシンクを塞ぐ可能性があり、シンクの詰まりを解消することは不便である。
【先行技術文献】
【特許文献】
【０００３】
【特許文献１】中国特許出願公開第１０６５８２９７６号明細書
【発明の概要】
【発明が解決しようとする課題】
【０００４】
本発明は家庭用小型キッチンの生ゴミの処理機を提供し、従来技術における上記欠点を解消することを目的とする。
【課題を解決するための手段】
【０００５】
本発明の実施例の家庭用小型キッチンの生ゴミの処理機は、処理箱を含み、前記処理箱にはカバー板がヒンジにより装着され、前記処理箱の中には上方へ開口したヒンジ連結チャンバが設置され、前記ヒンジ連結チャンバの中には前記カバー板を開けられる開け機構が設置され、前記ヒンジ連結チャンバの左側面には推し動かしチャンバが設置され、前記推し動かしチャンバの右側には回転盤チャンバが連通するように設置され、前記回転盤チャンバの中には前記開け機構に動力を提供する動力機構が設置され、前記動力機構は前記回転盤チャンバの中にスライドできるように装着された回転盤を含み、前記回転盤の左側面には推し動かし板が固定的に装着され、前記推し動かし板が前記推し動かしチャンバとスライドできるように装着され、前記推し動かし板を連動させて回転させることにより前記回転盤を回転させ、前記開け機構に動力を提供し、前記ヒンジ連結チャンバの右側には上方へ開口した砕きチャンバが設置され、前記砕きチャンバの左側には前記砕きチャンバを密封できる密封機構が設置され、前記密封機構が前記開け機構と連動し、前記開け機構が前記カバー板を開けた時、前記密封機構が前記砕きチャンバを開け、前記砕きチャンバの中にはまたキッチンの生ゴミを砕くことができる砕き機構が設置され、前記砕き機構の上方には前記砕きチャンバに消臭を行うことができる消臭機構が設置されている。
【０００６】
上記の技術プランに基づき、前記動力機構は捻りばねチャンバと、伝動チャンバと、動力ロッドと捻りばねとにより組み合わせられ、前記捻りばねチャンバは前記回転盤チャンバの下方に設置され、前記回転盤チャンバの上方には前記伝動チャンバが設置され、前記捻りばねチャンバと前記伝動チャンバとの間には動力ロッドが回転できるように装着され、前記動力ロッドが前記回転盤と固定的に装着され、前記動力ロッドの底面には捻りばねが固定的に装着され、前記捻りばねの底面と前記捻りばねチャンバの底壁との間が固定的に装着され、前記捻りばねが前記動力ロッドと前記回転盤を連動させて復帰させることができる。
【０００７】
上記の技術プランに基づき、前記動力ロッドの頂面には第一ギヤが固定的に装着され、前記ヒンジ連結チャンバと前記伝動チャンバとの間にはネジ山ロッドが回転できるように装着され、前記ネジ山ロッドの底面には第二ギヤが固定的に装着され、前記第二ギヤと前記第一ギヤとの間には第一チェーンが伝動できるように装着されている。
【０００８】
上記の技術プランに基づき、前記開け機構はネジ山ブロックと、ネジ山ロッドと、ヒンジ連結ロッドと、スライド溝とスライダとにより組み合わせられ、前記ネジ山ブロックが前記ヒンジ連結チャンバの中にスライドできるように装着され、前記ネジ山ブロックの中には下方へ開口したネジ山孔が設置され、前記ネジ山孔が前記ネジ山ロッドとネジ山により装着され、前記ネジ山ブロックの頂面にはヒンジ連結ロッドがヒンジにより装着され、前記カバー板の底面にはスライド溝が設置され、前記スライド溝の中にはスライダがスライドできるように装着され、前記スライダが前記ヒンジ連結ロッドとヒンジにより装着されている。
【０００９】
上記の技術プランに基づき、前記密封機構は回転チャンバと、移動ブロックと、遮り板と、リミット溝と、連通溝と、連結チャンバと、回転ロッドと、第一ベベルギヤと、第二ベベルギヤとにより組み合わせられ、前記回転チャンバが前記ヒンジ連結チャンバの右側に設置され、前記回転チャンバの中には移動ブロックがスライドできるように装着され、前記移動ブロックの頂面には遮り板が固定的に装着され、前記砕きチャンバの右側内壁にはリミット溝が連通するように設置され、前記リミット溝が前記遮り板とスライドできるように装着され、前記遮り板の中には連通溝が設置され、前記連通溝が前記砕きチャンバと連通することができ、前記回転チャンバの左側には噛み合いチャンバが設置され、前記回転チャンバの右側内壁の中には前記噛み合いチャンバの右側内壁を貫通している回転ロッドが回転できるように装着され、前記回転ロッドの左側面には第一ベベルギヤが固定的に装着され、前記ネジ山ロッドのうち前記噛み合いチャンバの中に位置しているところには第二ベベルギヤが固定的に装着され、前記第二ベベルギヤが前記第一ベベルギヤと噛み合っており、前記回転ロッドが前記移動ブロックとネジ山により装着されている。
【００１０】
上記の技術プランに基づき、前記砕き機構は空きチャンバと、補助チャンバと、モータと、伝動ロッドと、砕きロッドと、砕き輪と、第三ギヤとにより組み合わせられ、前記空きチャンバが前記砕きチャンバの右側に設置され、前記空きチャンバの右側には補助チャンバが設置され、前記補助チャンバの右側内壁の中にはモータが固定的に装着され、前記モータの左向きの出力軸の左側面には伝動ロッドが固定的に装着され、前記伝動ロッドが左方へ前記砕きチャンバの左側内壁の中まで伸びており、前記砕きチャンバの左側内壁のうち前記伝動ロッドの後側に位置しているところには前記空きチャンバの左側内壁を貫通している砕きロッドが回転できるように装着され、前記砕きロッドと前記伝動ロッドとのうち前記砕きチャンバの中に位置しているところには砕き輪が固定的に装着され、前記砕きロッドと前記伝動ロッドとのうち前記空きチャンバの中に位置しているところには第三ギヤが固定的に装着され、前後両側の前記第三ギヤが互いに噛み合っている。
【００１１】
上記の技術プランに基づき、前記砕きチャンバの右側内壁には右方へ開口した排出口が連通するように設置され、砕いたキッチンの生ゴミが前記排出口により排出される。
【００１２】
上記の技術プランに基づき、前記消臭機構は空気吸い込みチャンバと、フィルタと、連結ロッドと、ファン羽根と、第四ギヤと、第五ギヤと、第二チェーンと、連結管とにより組み合わせられ、前記空気吸い込みチャンバが前記砕きチャンバの右側に設置され、前記空気吸い込みチャンバの中にはフィルタが固定的に装着され、前記ファン羽根と前記補助チャンバとの間には連結ロッドが回転できるように装着され、前記連結ロッドの左側面にはファン羽根が固定的に装着され、前記連結ロッドの右側面には第四ギヤが固定的に装着され、前記伝動ロッドのうち前記補助チャンバの中に位置しているところには第五ギヤが固定的に装着され、前記第五ギヤと前記第四ギヤとの間には第二チェーンが伝動できるように装着され、前記空気吸い込みチャンバの右側内壁には連結管が連通するように設置され、前記連結管が前記排出口に連通している。
【発明の効果】
【００１３】
本発明の有益効果は：砕きチャンバをキッチンのシンクに連通させる必要がなく、処理機を使用していない場合、密封機構の中の遮り板が砕きチャンバを密封し、処理機の中の臭い匂いをシンクから放つことを防止でき、キッチンの環境に影響することを避け、また動力機構の中の推し動かし板を回転させ、カバー板を連動させて回転させることができ、カバー板を開け、砕きチャンバの中に比較的に大きいキッチンの生ゴミを入れることができ、キッチンの生ゴミがシンクを塞ぐことは発生しなく、また、本発明はキッチンの生ゴミを砕く時、消臭機構の中のファン羽根が回転し、砕きチャンバの中の臭い匂いを連結管の中に吸い込み、そして排出口により砕いたキッチンの生ゴミと一緒に排出し、臭い匂いを処理機の中から放つことを避け、普及する価値がある。
【図面の簡単な説明】
【００１４】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の構成模式図
【図２】図２は図１のＡ―Ａ方向の断面構成模式図
【図３】図３は図１のＢ―Ｂ方向の断面構成模式図
【図４】図４は図１のＣところの拡大模式図
【発明を実施するための形態】
【００１６】
図１〜４を参照し、本発明の実施例の家庭用小型キッチンの生ゴミの処理機は、処理箱５５を含み、前記処理箱５５にはカバー板４６がヒンジにより装着され、前記処理箱５５の中には上方へ開口したヒンジ連結チャンバ１１が設置され、前記ヒンジ連結チャンバ１１の中には前記カバー板４６を開けられる開け機構１０１が設置され、前記ヒンジ連結チャンバ１１の左側面には推し動かしチャンバ５２が設置され、前記推し動かしチャンバ５２の右側には回転盤チャンバ２８が連通するように設置され、前記回転盤チャンバ２８の中には前記開け機構１０１に動力を提供する動力機構１０２が設置され、前記動力機構１０２は前記回転盤チャンバ２８の中にスライドできるように装着された回転盤２２を含み、前記回転盤２２の左側面には推し動かし板２１が固定的に装着され、前記推し動かし板２１が前記推し動かしチャンバ５２とスライドできるように装着され、前記推し動かし板２１を連動させて回転させることにより前記回転盤２２を回転させ、前記開け機構１０１に動力を提供し、前記ヒンジ連結チャンバ１１の右側には上方へ開口した砕きチャンバ３１が設置され、前記砕きチャンバ３１の左側には前記砕きチャンバ３１を密封できる密封機構１０３が設置され、前記密封機構１０３が前記開け機構１０１と連動し、前記開け機構１０１が前記カバー板４６を開けた時、前記密封機構１０３が前記砕きチャンバ３１を開け、前記砕きチャンバ３１の中にはまたキッチンの生ゴミを砕くことができる砕き機構１０４が設置され、前記砕き機構１０４の上方には前記砕きチャンバ３１に消臭を行うことができる消臭機構１０５が設置されている。    
【００１７】
また、一つの実施例の中で、前記動力機構１０２はまた前記回転盤チャンバ２８の下方に設置された捻りばね２４を含み、前記回転盤チャンバ２８の上方には伝動チャンバ２０が設置され、前記捻りばねチャンバ２４と前記伝動チャンバ２０との間には動力ロッド２６が回転できるように装着され、前記動力ロッド２６が前記回転盤２２と固定的に装着され、前記動力ロッド２６の底面には捻りばね２５が固定的に装着され、前記捻りばね２５の底面と前記捻りばねチャンバ２４の底壁との間が固定的に装着され、前記捻りばね２５が前記動力ロッド２６と前記回転盤２２を連動させて復帰させることができる。
【００１８】
また、一つの実施例の中で、前記動力ロッド２６の頂面には第一ギヤ２７が固定的に装着され、前記ヒンジ連結チャンバ１１と前記伝動チャンバ２０との間にはネジ山ロッド１８が回転できるように装着され、前記ネジ山ロッド１８の底面には第二ギヤ１９が固定的に装着され、前記第二ギヤ１９と前記第一ギヤ２７との間には第一チェーン２３が伝動できるように装着され、これにより前記動力ロッド２６が回転する時、動力ロッド２６が回転して第一ギヤ２７を連動させて回転させ、第一ギヤ２７が第一チェーン２３の伝動により第二ギヤ１９とネジ山ロッド１８とを連動させて回転させ、ネジ山ロッド１８が回転して開け機構１０１に動力を提供する。
【００１９】
また、一つの実施例の中で、前記開け機構１０１は前記ヒンジ連結チャンバ１１の中にスライドできるように装着されたネジ山ブロック１４を含み、前記ネジ山ブロック１４の中には下方へ開口したネジ山孔１３が設置され、前記ネジ山孔１３が前記ネジ山ロッド１８とネジ山により装着され、前記ネジ山ブロック１４の頂面にはヒンジ連結ロッド１２がヒンジにより装着され、前記カバー板４６の底面にはスライド溝４４が設置され、前記スライド溝４４の中にはスライダ４５がスライドできるように装着され、前記スライダ４５が前記ヒンジ連結ロッド１２とヒンジにより装着され、これによりネジ山ロッド１８が回転する時、ネジ山ブロック１４が上方へ移動し、ネジ山ブロック１４がヒンジ連結ロッド１２によりカバー板４６を連動させて回転させ、カバー板４６を開ける。
【００２０】
また、一つの実施例の中で、前記密封機構１０３は前記ヒンジ連結チャンバ１１の右側に設置された回転チャンバ３２を含み、前記回転チャンバ３２の中には移動ブロック３４がスライドできるように装着され、前記移動ブロック３４の頂面には遮り板４２が固定的に装着され、前記砕きチャンバ３１の右側内壁にはリミット溝５６が連通するように設置され、前記リミット溝５６が前記遮り板４２とスライドできるように装着され、前記遮り板４２の中には連通溝４３が設置され、前記連通溝４３が前記砕きチャンバ３１と連通することができ、前記回転チャンバ３２の左側には噛み合いチャンバ１６が設置され、前記回転チャンバ３２の右側内壁の中には前記噛み合いチャンバ１６の右側内壁を貫通している回転ロッド３３が回転できるように装着され、前記回転ロッド３３の左側面には第一ベベルギヤ１５が固定的に装着され、前記ネジ山ロッド１８のうち前記噛み合いチャンバ１６の中に位置しているところには第二ベベルギヤ１７が固定的に装着され、前記第二ベベルギヤ１７が前記第一ベベルギヤ１５と噛み合っており、前記回転ロッド３３が前記移動ブロック３４とネジ山により装着され、これによりネジ山ロッド１８が回転して第二ベベルギヤ１７を連動させて回転させる時、第二ベベルギヤ１７が第一ベベルギヤ１５により回転ロッド３３を連動させて回転させ、回転ロッド３３が回転して移動ブロック３４を連動させて右方へ移動させ、これにより遮り板４２が右方へ移動し、そして連通溝４３が砕きチャンバ３１に連通し、キッチンの生ゴミが砕き機構１０４の中に入ることができる。
【００２１】
また、一つの実施例の中で、前記砕き機構１０４は前記砕きチャンバ３１の右側に設置された空きチャンバ５０を含み、前記空きチャンバ５０の右側には補助チャンバ３６が設置され、前記補助チャンバ３６の右側内壁の中にはモータ５３が固定的に装着され、前記モータ５３の左向きの出力軸の左側面には伝動ロッド５１が固定的に装着され、前記伝動ロッド５１が左方へ前記砕きチャンバ３１の左側内壁の中まで伸びており、前記砕きチャンバ３１の左側内壁のうち前記伝動ロッド５１の後側に位置しているところには前記空きチャンバ５０の左側内壁を貫通している砕きロッド４８が回転できるように装着され、前記砕きロッド４８と前記伝動ロッド５１とのうち前記砕きチャンバ３１の中に位置しているところには砕き輪４７が固定的に装着され、前記砕きロッド４８と前記伝動ロッド５１とのうち前記空きチャンバ５０の中に位置しているところには第三ギヤ４９が固定的に装着され、前後両側の前記第三ギヤ４９が互いに噛み合っており、これによりキッチンの生ゴミが砕き機構１０４に入った後、モータ５３が作動して伝動ロッド５１を連動させて回転させ、伝動ロッド５１が前後両側の第三ギヤ４９により砕き輪４７を連動させて回転させ、キッチンの生ゴミを砕く。
【００２２】
また、一つの実施例の中で、前記砕きチャンバ３１の右側内壁には右方へ開口した排出口２９が連通するように設置され、砕いたキッチンの生ゴミが前記排出口２９により排出される。
【００２３】
また、一つの実施例の中で、前記消臭機構１０５は前記砕きチャンバ３１の右側に設置された空気吸い込みチャンバ３９を含み、前記空気吸い込みチャンバ３９の中にはフィルタ４１が固定的に装着され、前記ファン羽根４０と前記補助チャンバ３６との間には連結ロッド３８が回転できるように装着され、前記連結ロッド３８の左側面にはファン羽根４０が固定的に装着され、前記連結ロッド３８の右側面には第四ギヤ３７が固定的に装着され、前記伝動ロッド５１のうち前記補助チャンバ３６の中に位置しているところには第五ギヤ５４が固定的に装着され、前記第五ギヤ５４と前記第四ギヤ３７との間には第二チェーン３５が伝動できるように装着され、前記空気吸い込みチャンバ３９の右側内壁には連結管３０が連通するように設置され、前記連結管３０が前記排出口２９に連通しており、これにより伝動ロッド５１が回転する時、伝動ロッド５１が第五ギヤ５４と第二チェーン３５とにより第四ギヤ３７と連結ロッド３８とを連動させて回転させ、連結ロッド３８が回転してファン羽根４０を連動させて回転させ、ファン羽根４０が回転して砕きチャンバ３１の中の臭い匂いを連結管３０の中に吸い込み、排出口２９から臭い匂いを排出する。
【００２４】
使用する時、動力ロッド２６が回転する時、動力ロッド２６が回転して第一ギヤ２７を連動させて回転させ、第一ギヤ２７が第一チェーン２３の伝動により第二ギヤ１９とネジ山ロッド１８とを連動させて回転させ、ネジ山ロッド１８が回転してネジ山ブロック１４を連動させて上方へ移動させ、ネジ山ブロック１４がヒンジ連結ロッド１２によりカバー板４６を連動させて回転させ、カバー板４６を開け、ネジ山ロッド１８が回転して第二ベベルギヤ１７を連動させて回転させる時、第二ベベルギヤ１７が第一ベベルギヤ１５により回転ロッド３３を連動させて回転させ、回転ロッド３３が回転して移動ブロック３４を連動させて右方へ移動させ、これにより遮り板４２が右方へ移動し、そして連通溝４３が砕きチャンバ３１に連通し、キッチンの生ゴミが砕き機構１０４の中に入ることができ、キッチンの生ゴミが砕き機構１０４の中に入った後、モータ５３が起動して伝動ロッド５１を連動させて回転させ、伝動ロッド５１が前後両側の第三ギヤ４９により砕き輪４７を連動させて回転させ、キッチンの生ゴミを砕き、砕いたキッチンの生ゴミが排出口２９により排出され、伝動ロッド５１が回転する時、伝動ロッド５１が第五ギヤ５４と第二チェーン３５とにより第四ギヤ３７と連結ロッド３８とを連動させて回転させ、連結ロッド３８が回転してファン羽根４０を連動させて回転させ、ファン羽根４０が回転して砕きチャンバ３１の中の臭い匂いを連結管３０の中に吸い込み、排出口２９から臭い匂いを排出する。
【００２５】
本発明の有益効果は：砕きチャンバをキッチンのシンクに連通させる必要がなく、処理機を使用していない場合、密封機構の中の遮り板が砕きチャンバを密封し、処理機の中の臭い匂いをシンクから放つことを防止でき、キッチンの環境に影響することを避け、また動力機構の中の推し動かし板を回転させ、カバー板を連動させて回転させることができ、カバー板を開け、砕きチャンバの中に比較的に大きいキッチンの生ゴミを入れることができ、キッチンの生ゴミがシンクを塞ぐことは発生しなく、また、本発明はキッチンの生ゴミを砕く時、消臭機構の中のファン羽根が回転し、砕きチャンバの中の臭い匂いを連結管の中に吸い込み、そして排出口により砕いたキッチンの生ゴミと一緒に排出し、臭い匂いを処理機の中から放つことを避け、普及する価値がある。
【００２６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。